【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
撮像手段で撮像されたライブビュー画像に重畳して、構図に関する所定の補助線を表示部に表示するように制御する表示制御手段と、
前記ライブビュー画像を前記表示部に拡大表示する指示を受け付ける指示受付手段と、前記指示を受け付けた際に、前記所定の補助線が前記ライブビュー画像に重畳して表示されている場合に、前記所定の補助線の位置に基づく一部の領域のライブビュー画像を拡大表示するようにし、前記所定の補助線が前記ライブビュー画像に重畳して表示されていない場合には前記所定の補助線の位置に基づかない一部の領域のライブビュー画像を前記表示部に拡大表示するように制御する制御手段とを有することを特徴とする表示制御装置。
【請求項２】
前記所定の補助線は、グリッドであることを特徴とする請求項１に記載の表示制御装置。
【請求項３】
前記所定の補助線に基づく一部の領域は、前記グリッドの交点の位置に応じた領域であることを特徴とする請求項２に記載の表示制御装置。
【請求項４】
前記所定の補助線に基づく一部の領域は、前記グリッドの交点を中心とする領域であることを特徴とする請求項２または３に記載の表示制御装置。
【請求項５】
前記所定の補助線は、前記表示部に表示される前記ライブビュー画像のうち、前記撮像手段により撮像された画像のうち再生時に表示される領域に関する情報を示すセーフティーライン、またはアスペクト比を示すアスペクトマーカーであることを特徴とする請求項１に記載の表示制御装置。
【請求項６】
前記所定の補助線に基づかない一部の領域は、ライブビュー画像の中央の領域であることを特徴とする請求項１に記載の表示制御装置。
【請求項７】
前記所定の補助線に基づかない一部の領域は、前記表示部に表示されるライブビュー画像のうちの合焦位置、もしくは、特定の被写体が検出された位置に応じた領域であることを特徴とする請求項１に記載の表示制御装置。
【請求項８】
ライブビュー画像のうち一部の領域が拡大表示されている場合に、前記一部の領域とは異なる一部の領域を表示する切替指示を受け付ける切替受付手段をさらに有し、
前記制御手段は、前記指示受付手段で前記指示を受け付けたことに応じて前記グリッドの第一の交点の位置に基づく第一の領域のライブビュー画像が表示されている場合に、前記切替受付手段が前記切替指示を受け付けたことに応じて、
前記表示部に拡大表示されるライブビュー画像の一部の領域を、前記第一の領域から前記グリッドの第二の交点に基づく第二の領域に切替えるように制御することを特徴とする請求項２乃至４のいずれか１項に記載の表示制御装置。
【請求項９】
拡大表示されるライブビュー画像の一部の領域を移動操作の操作量に応じた分だけ移動させる移動操作を受け付ける移動受付手段をさらに有し、
前記制御手段は、前記所定の補助線が表示されているか否かに関わらず、前記ライブビュー画像が拡大表示されている際に前記移動受付手段が前記移動操作を受け付けたことに応じて、前記表示部に表示中の一部の領域の前記ライブビュー画像から操作量に応じて移動した一部の領域の前記ライブビュー画像を表示するように制御することを特徴とする請求項１乃至８の何れか１項に記載の表示制御装置。
【請求項１０】
前記所定の補助線に基づく一部の領域のライブビュー画像が拡大表示された場合の前記一部の領域に関する情報を記録媒体に記録する記録手段をさらに有し、
前記制御手段は、前記指示受付手段が拡大表示の指示である第一の指示の後の第二の指示を受け付けたことに応じて、前記第二の指示を受け付けた際に前記表示部に表示されているライブビュー画像のうち、前記記録手段に記録されている前記情報に基づいた一部の領域を拡大表示するように制御することを特徴とする請求項１乃至９の何れか１項に記載の表示制御装置。
【請求項１１】
前記所定の補助線がライブビュー画像に重畳して表示されている際に拡大表示する指示を受け付けたことに応じて一部の領域のライブビュー画像が拡大される拡大率と、前記所定の補助線がライブビュー画像に重畳して表示されていない際に拡大表示する指示を受け付けたことに応じて一部の領域のライブビュー画像が拡大される拡大率とが異なることを特徴とする請求項１乃至１０の何れか１項に記載の表示制御装置。
【請求項１２】
前記制御手段は、一部の領域のライブビュー画像が拡大表示された場合に、拡大表示をする指示を受け付ける前に前記表示部に表示されていた前記ライブビュー画像の領域に対する表示中の一部の領域の範囲を示すガイドを表示するように制御することを特徴とする請求項１乃至１１の何れか１項に記載の表示制御装置。
【請求項１３】
撮像された画像から特定の被写体を検出する検出手段をさらに有し、
前記制御手段は、一部の領域のライブビュー画像が拡大表示された場合に、前記検出手段により検出された前記ライブビュー画像における前記特定の被写体の位置を前記ガイドとともに表示するように制御することを特徴とする請求項１２に記載の表示制御装置。
【請求項１４】
前記特定の被写体は、人物の顔であることを特徴とする請求項１３に記載の表示制御装置。
【請求項１５】
第１の補助線と、前記第１の補助線とは異なる種別の第２の補助線を含む複数の補助線から前記ライブビュー画像に重畳して表示する補助線を設定する補助線設定手段をさらに有し、
前記第１の補助線を表示している際に受け付けた拡大指示に応じて拡大表示された領域の拡大倍率は、前記第２の補助線を表示している際に受け付けた拡大指示に応じて拡大表示された領域の拡大倍率とは異なることを特徴とする請求項１乃至１４の何れか１項に記載の表示制御装置。
【請求項１６】
第１の補助線と、前記第１の補助線とは異なる種別の第２の補助線を含む複数の補助線から前記ライブビュー画像に重畳して表示する補助線を設定する補助線設定手段をさらに有し、
前記第１の補助線が設定されている際にライブビュー画像を拡大表示する指示を受けたことに応じて拡大表示される前記ライブビュー画像の一部の領域と、
前記第２の補助線が設定されている際に前記ライブビュー画像を拡大表示する指示を受け付けたことに応じて拡大表示される一部の領域とは異なる領域であることを特徴とする請求項１乃至１４の何れか１項に記載の表示制御装置。
【請求項１７】
前記制御手段は、ライブビュー画像に前記所定の補助線が重畳するように表示されている際に前記ライブビュー画像を拡大表示する指示がされたことに応じてオートフォーカスモードからマニュアルフォーカスモードに切り替えるように制御することを特徴とすることを特徴とする請求項１乃至１６の何れか１項に記載の表示制御装置。
【請求項１８】
撮像手段で撮像されたライブビュー画像に重畳して、構図に関する所定の補助線を表示部に表示するように制御する表示制御ステップと、
前記ライブビュー画像を前記表示部に拡大表示する指示を受け付ける指示受付ステップと、
前記指示を受け付けた際に、前記所定の補助線が前記ライブビュー画像に重畳して表示されている場合に、前記所定の補助線の位置に基づく一部の領域のライブビュー画像を拡大表示するようにし、前記所定の補助線が前記ライブビュー画像に重畳して表示されていない場合には前記所定の補助線の位置に基づかない一部の領域のライブビュー画像を前記表示部に拡大表示するように制御する制御ステップとを有することを特徴とする表示制御装置の制御方法。
【請求項１９】
コンピュータを、請求項１乃至１７のいずれか１項に記載された表示制御装置の各手段として機能させるためのプログラム。
【請求項２０】
コンピュータを、請求項１乃至１７のいずれか１項に記載された表示制御装置の各手段として機能させるためのプログラムを格納したコンピュータが読み取り可能な記録媒体。
【手続補正２】
【補正対象書類名】明細書
【補正対象項目名】０００６
【補正方法】変更
【補正の内容】
【０００６】
上記目的を達成するために、本発明の表示制御装置は、撮像手段で撮像されたライブビュー画像に重畳して、構図に関する所定の補助線を表示部に表示するように制御する表示制御手段と、前記ライブビュー画像を前記表示部に拡大表示する指示を受け付ける指示受付手段と、前記指示を受け付けた際に、前記所定の補助線が前記ライブビュー画像に重畳して表示されている場合に、前記所定の補助線の位置に基づく一部の領域のライブビュー画像を拡大表示するようにし、前記所定の補助線が前記ライブビュー画像に重畳して表示されていない場合には前記所定の補助線の位置に基づかない一部の領域のライブビュー画像を前記表示部に拡大表示するように制御する制御手段とを有することを特徴とする。